(57)【特許請求の範囲】
【請求項１】
複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記親機の各々には、当該親機に属する前記グループの非常電話機のいずれかから前記着信があった時に、該着信に基づき、それぞれに接続される被制御機器を連動動作させる連動動作手段が設けられ；前記複数の親機は１台の主親機と他の副親機とに分けられ；前記主親機と副親機には、それぞれ接続された被制御機器の前記連動動作手段による連動動作を停止させる自己停止手段が設けられ；前記主親機には、前記副親機に対して被制御機器の連動あるいは連動停止を命令する連動制御手段が設けられ；前記副親機には前記連動制御手段からの連動命令によって自己に接続された被制御機器を連動動作させ、連動停止命令によって自己に接続された被制御機器の連動動作を停止させる移報手段が設けられ；たことを特徴とする非常電話設備。
【請求項２】
前記各親機は、前記非常電話機からの着信を処理する着信処理機能を有する親機回路部と、前記連動動作手段と前記移報手段を有する移報回路部とを備えた親機本体部からなり、前記主親機は前記親機に前記連動制御手段を備えた制御装置を接続することにより構成され、前記制御装置は前記各副親機の移報回路部に接続されることを特徴とする請求項１記載の非常電話設備。
【請求項３】
複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記複数の親機は、１台の主親機と他の副親機とに分けられ；前記主親機には、前記副親機を指定して、当該副親機の前記非常電話機からの着信を主親機に自動的に転送するよう指示する不在モード設定及び該着信の主親機への自動的な転送の解除を指示する不在モード解除の命令を送出する不在モード制御手段が設けられ；前記副親機または前記非常電話用交換機には、自己または副親機を指定して前記主親機から不在モード設定命令を受信したときには、それ以降の前記非常電話機からの着信を前記主親機に転送させ、不在モード解除命令を受信したときには、前記主親機への転送を解除する不在転送手段が設けられ；たことを特徴とする非常電話装置。
【請求項４】
複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記親機の各々には、当該親機に属する前記グループの非常電話機のいずれかから前記着信があった時に、該着信に基づき、それぞれに接続される被制御機器を連動動作させる連動動作手段が設けられ；前記複数の親機は１台の主親機と他の副親機とに分けられ；前記主親機と副親機には、それぞれ接続された被制御機器の前記連動動作手段による連動動作を停止させる自己停止手段が設けられ；前記主親機には、前記副親機に対して被制御機器の連動あるいは連動停止を命令する連動制御手段と、前記副親機を指定して、当該副親機の前記非常電話機からの着信を主親機に自動的に転送するよう指示する不在モード設定及び該着信の自動的な主親機への自動的な転送の解除を指示する不在モード解除の命令を送出する不在モード制御手段と、とが設けられ；前記副親機には、前記連動制御手段からの連動命令によって自己に接続された非常放送装置を連動動作させ、連動停止命令によって自己に接続された非常放送装置の連動動作を停止させる移報手段が設けられ；前記副親機または前記非常電話用交換機には、自己または副親機を指定して前記主親機から不在モード設定命令を受信したときには、それ以降の前記非常電話機からの着信を前記主親機に転送させ、不在モード解除命令を受信したときには、前記主親機への転送を解除する不在転送手段と、とが設けられ；たことを特徴とする非常電話設備。
【請求項５】
前記各親機は、前記非常電話機からの着信を処理する着信処理機能を有する親機回路部と、前記連動動作手段と前記移報手段を有する移報回路部と、前記不在モード制御手段とを備えた親機本体部からなり、前記主親機は前記親機に前記連動制御手段を備えた制御装置を接続することにより構成され、前記制御装置は前記各副親機の移報回路部に接続されることを特徴とする請求項４記載の非常電話設備。
【請求項６】
前記連動制御手段は、全部の副親機の前記移報手段に対して連動あるいは連動停止の命令を送出する第１の手段と、特定の副親機を指定して当該副親機の移報手段に連動あるいは連動停止の命令を送出する第２の手段とからなることを特徴とする請求項１、２、４または５に記載の非常電話設備。
【発明の詳細な説明】
【０００１】
【発明の属する技術分野】
この発明は、火災時に使用される非常電話設備に関するものである。
【０００２】
【従来の技術】
火災の際の火災通報並びに連絡のため、非常電話設備が用いられている。
【０００３】
従来の非常電話設備は、建物内に配置された非常電話機を取り上げると、親機側が非常電話機が取り上げられたこと、また、取り上げられた電話機の回線番号を判別する。そして、非常放送設備のその回線番号に対応する放送回路を起動させ、対応する地区に火災発生や避難案内を自動的に放送させる。また、親機側にいる係員が親機側に設けられた送受話器を通じて非常電話機側の人と通話を行い、火災の状況把握等を行う。
【０００４】
【発明が解決しようとする課題】
近年、複数棟からなる建物、あるいは商店街、事務所やホテル等の複数の異なった施設が入った大規模な複合建物が増加している。このような建物では、棟毎に、あるいは施設毎になどのブロック毎に防災センターを設け、各防災センターに非常電話設備の親機や非常放送設備の中央装置を設け、それぞれ単独で運用している。
【０００５】
この発明は、上記の点に鑑み、複数のセンターを有し、各センターに非常電話設備の親機が設けられる建物の非常電話設備において、各センターで運用できると共に中央センターでも集中制御できる非常電話設備を目的とするものである。
【０００６】
【課題を解決するための手段】
この発明による非常電話装置は、上記の点に鑑み、複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記親機の各々にはそれぞれに接続される被制御機器を連動動作させる連動動作手段が設けられ；前記複数の親機は１台の主親機と他の副親機とに分けられ；前記主親機と副親機には、それぞれ接続された被制御機器の連動動作を停止させる自己停止手段が設けられ；前記主親機には、前記副親機に対して被制御機器の連動あるいは連動停止を命令する連動制御手段が設けられ；前記副親機には前記連動制御手段からの命令によって自己に接続された被制御機器を連動または連動停止させる移報手段が設けられ；たことを特徴とするものである。
【０００７】
また、前記各親機は、前記非常電話機からの着信を処理する着信処理機能を有する親機回路部と、前記被制御器機を連動制御するとともに前記移報手段を有する移報回路部とを備えた親機本体部からなり、前記主親機は前記親機に前記連動制御手段を備えた制御装置を接続することにより構成されることを特徴とするものである。
【０００８】
また、本発明は、複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記複数の親機は、１台の主親機と他の副親機とに分けられ；前記主親機には、前記副親機を指定して不在モード設定及び不在モード解除の命令を送出する不在モード制御手段が設けられ；前記副親機または前記非常電話用交換機には、自己または副親機を指定して前記主親機から不在モード設定命令を受信したときには、前記非常電話機からの着信を前記主親機に転送させ、不在モード解除命令を受信したときには、前記主親機への転送を解除する不在転送手段が設けられ；たことを特徴とするものである。
【０００９】
また、本発明は、複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記親機の各々にはそれぞれに接続される被制御器機を連動動作させる連動動作手段が設けられ；前記複数の親機は１台の主親機と他の副親機とに分けられ；前記主親機と副親機には、それぞれ接続された被制御機器の連動動作を停止させる自己停止手段が設けられ；前記主親機には、前記副親機に対して被制御器機の連動あるいは連動停止を命令する連動制御手段と、前記副親機を指定して不在モード設定及び不在モード解除の命令を送出する不在モード制御手段と、とが設けられ；前記副親機には、前記連動制御手段からの命令によって自己に接続された非常放送装置を連動または連動停止させる移報手段が設けられ；前記副親機または前記非常電話用交換機には、自己または副親機を指定して前記主親機から不在モード設定命令を受信したときには、前記非常電話機からの着信を前記主親機に転送させ、不在モード解除命令を受信したときには、前記主親機への転送を解除する不在転送手段と、とが設けられ；たことを特徴とするものである。
【００１０】
また、前記各親機は、前記非常電話機からの着信を処理する着信処理機能を有する親機回路部と、前記被制御器機を連動制御するとともに前記移報手段を有する移報回路部と、前記不在モード制御手段とを備えた親機本体部からなり、前記主親機は前記親機に前記連動制御手段を備えた制御装置を接続することにより構成されることを特徴とするものである。
【００１１】
また、前記連動制御手段は、全部の副親機に対して連動あるいは連動停止の命令を送出する第１の手段と、特定の副親機を指定して連動あるいは連動停止の命令を送出する第２の手段とからなることを特徴とするものである。
【００１２】
【発明の実施の形態】
以下この発明による非常電話設備の１実施形態を図に示す１実施例により説明する。
【００１３】
図１は本発明による非常電話設備の１実施例の系統図で、Ｔ１１〜Ｔ１ｎ、・・・・Ｔ４１〜Ｔ４ｎは建物の各ブロックに分散配置された、すなわち複数のグループに分けられた非常電話機、ＰＢＸは非常電話機Ｔ１１〜Ｔ４ｎが接続された例えばデジタル式の非常電話用電話交換機である。１１は例えば中央ブロックに設けられた中央防災センターに設置された主親機、１２〜１４は他のブロックにそれぞれ設けられたブロック用防災センターに設置された副親機である。４１〜４４はそれぞれ主親機１１と副親機１２〜１４に接続された被制御器機の一例としての非常放送装置で、各非常放送装置４１〜４４には各ブロックに分散配置されたスピーカＳＰ１１〜ＳＰ１ｎ、・・・・、ＳＰ４１〜ＳＰ４ｎが接続されている。ＲＥはＰＢＸに接続された火災受信機で、主親機１１、副親機１２〜１４が火災着信を受けたときにその親機からＰＢＸを介して回線番号を受信し、対応する火災地区を表示する。
【００１４】
主親機１１並びに副親機１２〜１４は、それぞれ図２にその一例をブロック図で示した親機回路２１と、図３にその一例をブロック図で示した移報回路２２を備えている。また、主親機１１には、図４にその一例をブロック図で示した制御装置３１が設けられ、親機回路２１に接続されている。また、制御装置３１は各副親機１２〜１４の移報回路２２に接続されている。このように本実施例では、主親機１１と副親機１２〜１４とは、同じ親機回路２１と移報回路２２とからなる親機本体部を備えており、主親機１１は、この親機本体部に制御装置３１を接続することで、主親機の機能を発揮するように構成されている。
【００１５】
また、交換機ＰＢＸは、非常電話機Ｔ１１〜Ｔ４ｎのいずれかから発信信号を受信したときは、その非常電話機の回線番号を判別して、その回線をその非常電話機が属するブロック、すなわちグループを担当する主または副親機１１〜１４のいずれかに接続する。すなわち、例えば第２ブロックの１番目の非常電話機Ｔ２１（回線番号を例えば＃２００１とする）から発信信号を受信すると、交換機ＰＢＸはその回線番号＃２００１から第２ブロックの非常電話機Ｔ２１からの発信と判別し、その回線を第２ブロックを担当する副親機１２に接続する。
【００１６】
図２は主親機１１及び副親機１２〜１４に共通の親機回路２１の１実施例のブロック図で、ＭＰＵ１はマイクロプロセッサ、ＲＯＭ１１は後述の動作説明に従ったプログラムの記憶領域、ＲＯＭ１２は自局及び他の主または副親機の回線番号やアドレス、非常電話機Ｔ１１〜Ｔ４ｎのうち少なくとも自己が担当する回線番号、及び表示部ＯＰへの表示内容等を記憶した例えば電気的に書き換え可能な不揮発性のメモリＥＥＰＲＯＭ等の記憶領域、ＲＡＭ１１は作業領域としての記憶領域である。
【００１７】
ＳＷ１１は連動停止スイッチで、このＳＷ１１はインタフェースＩＦ１１を介してＭＰＵ１に接続されている。
【００１８】
ＯＰはインタフェースＩＦ１２を介してＭＰＵ１に接続された操作部である。この操作部ＯＰには、ダイアルをかねたテンキー、着信した回線を選択接続、通話状態あるいは保留状態にする通話制御スイッチ、表示部ＤＰの表示制御スイッチや各種試験スイッチなどの図示しないスイッチ類が設けられている。
【００１９】
ＴＲＸ１１は、交換機ＰＢＸに接続される送受信回路で、インタフェースＩＦ１３を介してＭＰＵ１に接続されている。また、ＣＨは、親機の送受話器ＴＥに接続する回線を切り換える回線切換回路で、インタフェースＩＦ１４を介してＭＰＵ１に接続されている。
【００２０】
Ｌ１１は連動停止灯、Ｌ１２は優先灯で、インタフェースＩＦ１５を介してＭＰＵ１に接続されている。
【００２１】
ＤＰはインタフェースＩＦ１６を介してＭＰＵ１に接続された表示部である。この表示部ＤＰには、図示しないＬＣＤあるいはＣＲＴ等の表示パネルや、各種表示灯が設けられている。
【００２２】
ＩＦ１７は移報回路２２とシリアルまたはパラレルで情報の授受を行うインタフェース、ＴＲＸ１２は主親機１１に接続された制御装置３１とシリアルまたはパラレルで情報の授受を行う送受信回路で、インタフェースＩＦ１８を介してＭＰＵ１に接続されている。
【００２３】
なお、連動停止スイッチＳＷ１１は操作部ＯＰとともに同一パネル上に設けるようにしてよく、連動停止灯Ｌ１１と優先灯Ｌ１２は表示部ＤＰとともに同一パネル上に設けるようにしてもよい。
【００２４】
図３は主親機１１及び副親機１２〜１４の移報回路２２の１実施例のブロック図で、ＭＰＵ２はマイクロプロセッサ、ＲＯＭ２１は後述の動作説明に従ったプログラムの記憶領域、ＲＯＭ２２は少なくとも自己が担当するグループの非常電話機の回線番号と起動すべき非常放送装置の放送回路５１〜５ｎとの関係のテーブルや、自己の回線番号やアドレス等を記憶した例えば電気的に書き換え可能な不揮発性のメモリＥＥＰＲＯＭ等の記憶領域、ＲＡＭ２１は作業領域としての記憶領域である。
【００２５】
Ｒ１は全連動停止命令によりブレーク接点ｒ１をブレークし、全解除命令によりブレーク接点ｒ１をメークさせる全停止用リレーで、このリレーＲ１はインタフェースＩＦ２３を介してＭＰＵ２に接続されている。
【００２６】
Ｒ２は自己停止命令または個別停止命令によりブレーク接点ｒ２をブレークし、自己停止解除命令または個別停止解除命令によりブレーク接点ｒ２をメークさせる個別停止用リレーで、このリレーＲ２はインタフェースＩＦ２４を介してＭＰＵ２に接続されている。
【００２７】
Ｒ３１〜Ｒ３ｎは非常放送装置４１〜４４の放送回路５１〜５ｎの制御用リレーで、各リレーＲ３１〜Ｒ３ｎの各メーク接点ｒ３１〜ｒ３ｎは、並列に設けられ、その一端は放送回路５１〜５ｎに接続され、他端はブレーク接点ｒ１、ｒ２と直列に接続されている。このリレーＲ３１〜Ｒ３ｎはインタフェースＩＦ２５を介してＭＰＵ２に接続されている。
【００２８】
ＩＦ２１は親機回路２１とシリアルまたはパラレルで情報の授受を行うインタフェース、ＴＲＸ２１は主親機１１に接続された制御装置３１とシリアルまたはパラレルで情報の授受を行う送受信回路で、インタフェースＩＦ２２を介してＭＰＵ２に接続されている。
【００２９】
図４は主親機１１の親機回路２１に接続されて設けられる制御装置３１の１実施例のブロック図で、ＭＰＵ３はマイクロプロセッサ、ＲＯＭ３１は後述の動作説明に従ったプログラムの記憶領域、ＲＯＭ３２は、各グループの非常電話機の回線番号と起動すべき非常放送装置の放送回路５１〜５ｎとの関係のテーブルや、自己の回線番号やアドレス、副親機１２〜１４の回線番号や移報回路のアドレス、等を記憶した例えば電気的に書き換え可能な不揮発性のメモリＥＥＰＲＯＭ等の記憶領域、ＲＡＭ３１は作業領域としての記憶領域である。
【００３０】
ＳＷ３２１は全部の副親機１２〜１４の移報回路２２を強制的に連動状態にさせると共に自己および個別の連動／連動停止設定を不可にさせる全連動スイッチ、ＳＷ３２２は全部の副親機１２〜１４の移報回路２２を強制的に連動停止状態にすると共に自己および個別の連動／連動停止設定を不可にさせる全連動停止スイッチ、ＳＷ３２３はＳＷ３２１による全連動状態、ＳＷ３２２による全連動停止状態を解除して各副親機の自己および個別の連動／連動停止設定を可能にする全解除スイッチで、ＳＷ３２１〜ＳＷ３２３はインタフェースＩＦ３２を介してＭＰＵ３に接続されている。
【００３１】
Ｌ３３１は全連動状態にある時に点灯する全連動灯、Ｌ３３２は全連動停止状態にある時に点灯する全連動停止灯、Ｌ３３３は全連動状態または全連動停止状態にある時に消灯し、全解除状態になった時に点灯する全解除中灯である。
【００３２】
ＳＷ３４１〜ＳＷ３４３は第１〜第３の副親機１２〜１４を個別に連動停止または連動停止解除するための個別連動停止スイッチで、インタフェース３７を介してＭＰＵ３に接続する。これらのスイッチＳＷ３４１〜３４３は、例えばＳＷ３４１を操作すると対応する第１の副親機１２に個別の連動停止命令あるいは個別の停止解除命令が送出される。
【００３３】
Ｌ３５１〜Ｌ３５３は各副親機１２〜１４に対応して設けられた個別の連動停止中灯で、副親機が自己または個別の連動停止状態にある時に対応する連動停止中灯Ｌ３５１〜Ｌ３５３が点灯する。このＬ３５１〜Ｌ３５３はインタフェース３５を介して接続されている。
【００３４】
Ｌ３６１〜Ｌ３６３は各副親機１２〜１４に対応して設けられた火災着信中灯で、各副親機１２〜１４から火災着信中である信号を受信したときに対応するＬ３６１〜Ｌ３６３が点灯する。また、Ｌ３７１〜Ｌ３７３は各副親機１２〜１４に対応して設けられた不在中灯で、副親機の係員が不在中で主親機１１に着信処理が転送される状態の時に対応する不在中灯が点灯する。なお、各灯Ｌ３６１〜Ｌ３６３、Ｌ３７１〜Ｌ３７３はそれぞれインタフェースＩＦ３６、３７を介してＭＰＵ３に接続されている。
【００３５】
ＴＲＸ３１は主親機１１の親機回路２１とシリアルまたはパラレルで信号の授受を行う送受信回路、ＴＲＸ３２は副親機１２〜１４の移報回路２２とシリアルまたはパラレルで信号の授受を行う送受信回路で、それぞれインタフェースＩＦ３１、ＩＦ３８を介してＭＰＵ３と接続されている。
【００３６】
なお、本実施例において、連動停止スイッチＳＷ１１、個別停止用リレーＲ１とそのブレーク接点ｒ２並びにＭＰＵ１、２が自己停止手段の一例である。また、制御装置３１が連動制御手段の一例であり、全連動スイッチＳＷ３２１、全連動停止スイッチＳＷ３２２、全解除スイッチＳＷ３２３、ＭＰＵ３と送受信回路ＴＲＸ３２が第１の手段の一例であり、個別連動停止スイッチＳＷ３４１〜ＳＷ３４３、ＭＰＵ３と送受信回路ＴＲＸ３が第２の手段の一例である。また、全停止用リレーＲ１とそのブレーク接点ｒ１、個別停止用リレーＲ２とそのブレーク接点ｒ２と、ＭＰＵ２が移報手段の一例である。また、操作部ＯＰのテンキー、ＭＰＵ１が不在モード制御手段の一例であり、ＭＰＵ２、ＭＰＵ３と送受信回路ＴＲＸ２１が不在転送手段の一例である。
【００３７】
次にこの実施例の動作について図５以下を参照して説明する。なお、図５、図６は主親機１１、副親機１２〜１４の親機回路２１の動作を、図７、図８は移報回路２２の動作を、図９、図１０は主親機１１に設けられた制御装置３１の動作をそれぞれ説明するフローチャートである。
【００３８】
親機回路２１は、電源が投入されるとまずＲＡＭ１１やＩＦ１１〜１８の初期化や初期値の設定を行うと共に、自己が主親機か副親機かを判別し、その判別結果をＲＡＭ１１に記憶する等の初期設定を行う（Ｓ５０１）。この主親機か否かの判別は、送受信回路ＴＲＸ１２に制御装置３１が接続されているか否かを、例えば、送受信回路ＴＲＸ１２から呼び出し信号を送出して応答があるか否か、あるいは図示しないコネクタ部分に接続検出スイッチを設け、このスイッチがオンしているか否か等により行われる。なお、移報回路２２、制御装置３１でも同様に初期設定が行われる（Ｓ７０１、Ｓ９０１）
次に、担当する非常電話機、例えば親機回路２１が第１副親機１２の場合には、担当するブロック（グループ）の非常電話機Ｔ２１〜Ｔ２ｎのいずれかもしくは主親機１１から着信しているか否か判別し（Ｓ５０２）、着信がない場合には（Ｓ５０２のＮ）、連動処理を行う必要があるか、すなわち連動停止スイッチＳＷ１１が操作されたか否か判別する（Ｓ５０３）。ＳＷ１１が操作されていない場合には（Ｓ５０３のＮ）、自分が主親機か否かＲＡＭ１１を参照して判別する（Ｓ５０４）。
【００３９】
副親機１２〜１４の場合には（Ｓ５０４のＮ）、Ｓ５０２に戻り、以後この動作を繰り返す。
【００４０】
主親機１１の場合は（Ｓ５０４のＹ）、次に副親機１２〜１４のいずれかの係員から不在代行の要求依頼（Ｓ５０５）あるいは不在代行解除の要求依頼（Ｓ５０６）があるか判別し、いずれの要求依頼もない場合には（Ｓ５０５のＮ、Ｓ５０６のＮ）、Ｓ５０２に戻る。
【００４１】
例えば、非常電話機Ｔ２１の図示しない送受話器が取り上げられるとともに、火災連絡のため電話機に設けられた図示しない火災発信スイッチが操作されると、非常電話機Ｔ２１から回線番号＃２００１と火災発信信号が送出される。なお、業務連絡の際には、送受話器を取り上げて図示しない業務連絡スイッチを操作すると、電話機Ｔ２１から回線番号＃２００１と業務発信信号が送出される。
【００４２】
交換機ＰＢＸは、電話機Ｔ２１から回線番号＃２００１を受信すると、第１副親機１２の担当電話機からと判別し、電話機Ｔ２１の回線を第１副親機１２に接続すると共に＃２００１を通知する。
【００４３】
第１副親機１２は、電話機Ｔ２１からの回線番号が着信すると（Ｓ５０２のＹ）、着信処理（Ｓ５０７）を行う。すなわち、回線番号と共に着信した火災発信信号により火災着信であることを判別し（Ｓ６０１のＹ）、＃２００１と火災着信である旨を表示部ＤＰに表示するとともに、回線切替回路ＣＨを制御して着信した回線を通話可能状態にセットする。これにより副親機１２の送受話器ＴＥと非常電話機Ｔ２１との間で通話連絡が行われ、火災情報の収集や消火や避難活動の指示が行われる。同時に、着信した回線番号である＃２００１がＩＦ１７を介して移報回路２２に出力される。また、不在モードの場合は主親機１１への転送を行う。（Ｓ６０６）
移報回路２２は、親機回路２１から＃２００１を受信すると（Ｓ７０２のＹ）、ＲＯＭ２２のテーブルを参照して非常放送装置４２の駆動すべき放送回路を選択する。例えば、ＲＯＭ２２に＃２００１に対して駆動すべき放送回路が５１と５２であると記憶されていると、それに対応する制御用リレーＲ３１とＲ３２（図示せず）を動作させ、そのメーク接点ｒ３１、ｒ３２（図示せず）をメークさせ制御信号を出力させる（Ｓ７２１）。これにより放送回路５１と５２（図示せず）は駆動され、図示しない音声合成装置あるいはテープが動作してスピーカＳＰ２１、ＳＰ２２（図示せず）から火災発生の通報や避難の指示などを行う。
【００４４】
次ぎに、第１副親機１２で非常放送設備の連動停止をかけた場合について説明すると、この連動停止は親機回路２１の連動停止スイッチＳＷ１１を押すことによって行われる。
【００４５】
ＳＷ１１をオンすると、インタフェースＩＦ１１はオン信号の割込を行い、これによりＭＰＵ１は連動処理が行われたことを認識し（Ｓ５０３のＹ）、オン信号の割込とＲＡＭ１１に自己連動停止中の記憶がないことから連動停止操作が行われたことを判別し、移報回路２２に自己連動停止命令を出力するとともに、ＲＡＭ１１に自己連動停止中を記憶する（Ｓ５０８のＹ、Ｓ５０９）。
【００４６】
移報回路２２は、親機回路２１から自己連動停止命令が入力すると、インタフェース２４を介して個別停止用リレーＲ２を動作させ、そのブレーク接点ｒ２をブレークさせるとともに、ＲＡＭ２１に自己連動停止を記憶する。同時に、移報回路２２は、送受信回路ＴＲＸ２１を通じて主親機１１の制御装置３１に自己連動停止中であることを示す信号を例えば副親機１２のアドレスを付加して送出する。制御装置３１は、この信号を受信すると、アドレス信号から第１副親機１２からの自己連動停止中信号と判別して、連動停止中灯Ｌ３５１を点灯させ、主親機１１側にも表示させる。（Ｓ７１１のＹ、Ｓ７２９）
このような状態で＃２００１の非常電話機Ｔ２１から火災着信があると、上記説明のようにリレーＲ３１、Ｒ３２が動作してメーク接点ｒ３１、ｒ３２がメークする（Ｓ５０２のＹ、Ｓ６０１のＹ、Ｓ６０６、Ｓ７０２のＹ、Ｓ７２１）。しかし、上記のようにＲ２のｒ２がブレークしているため、非常放送装置４２には制御信号が出力されず、非常放送の連動は行われない。
【００４７】
また、移報回路２２は、ＴＲＸ２１を通じ、第１副親機１２が火災着信したことを示す信号をアドレスを付加する等して制御装置３１に送出する（Ｓ７２１）。これにより、制御装置３１は第１副親機１２が火災着信したことを判別し、火災着信中灯３６１を点灯させ、主親機１１側に第１副親機１２が火災着信中であることを報知する（Ｓ９０５のＹ、Ｓ９２４）。
【００４８】
そして、第１副親機１２と非常電話機Ｔ２１との間で通話が行われ、火災であることが確認され、非常放送を行う必要が生じた場合には、第１副親機１２の親機回路２１のＳＷ１１を操作する。これによりＩＦ１１からオン信号の割込信号が出力され、ＭＰＵ１はこの割込信号とＲＡＭ１１の自己連動停止中の記憶とから割込停止解除操作と判別し、移報回路２２に自己停止解除命令を出力すると共に、ＲＡＭ１１の自己連動停止中の記憶をクリアする。（Ｓ５０３のＹ、Ｓ５０８のＮ、Ｓ５１０）
移報回路２２は、ＩＦ２１を通じて自己停止解除命令が入力すると、ＲＡＭ２１の自己連動停止の記憶をクリアすると共に、Ｒ２の動作を停止させ、そのブレーク接点ｒ２をメイクさせる。この結果、上記の火災着信でメークされているメーク接点ｒ３１、ｒ３２を通じて非常放送装置４２の放送回路５１、５２に制御信号が入力し、放送回路５１、５２が動作してスピーカＳＰ２１、２２より非常放送が自動的に行われる。また、制御装置３１に自己停止解除信号が送信され、連動停止中灯Ｌ３５１が消灯される。（Ｓ７１２のＹ、Ｓ７３０）
なお、上記説明は第１副親機１２を例にして説明したが、他の副親機１３、１４の場合も同様である。また、主親機１１の場合は、制御装置３１への通報が行われず、この部分の動作を除いて上記説明と同様である。
【００４９】
次ぎに副親機１２〜１４の非常放送設備の連動、連動停止を主親機１１側から制御する場合について説明する。
【００５０】
例えば、主親機１１側から第１副親機１２の連動を停止したい場合には、主親機１１の親機回路２１に接続された制御装置３１の個別連動停止スイッチＳＷ３４１を押す。これにより、制御装置３１は、個別連動停止中灯Ｌ３５１が消灯状態でＳＷ３４１が押されたことにより第１副親機１２に対する個別連動停止操作と判別し、第１副親機１２を指定して個別停止命令を送受信回路ＴＲＸ３１を通じて送出すると共に、個別連動停止中灯Ｌ３５１を点灯させる。（Ｓ９９１のＹ、Ｓ９２８）
第１副親機１２の移報回路２２は、ＴＲＸ２１を通じて制御装置３１から個別停止命令を受信すると、この個別停止命令により個別停止用リレーＲ２を動作させ、そのブレーク接点ｒ２をブレークさせる。同時に、ＲＡＭ２１に制御装置３１からの命令による個別連動停止中であることを記憶すると共に、ＩＦ２１を通じて親機回路２１に個別連動停止中であることを出力する。これにより、親機回路２１は、連動停止灯Ｌ２１と優先灯Ｌ２２を点灯させ、主親機１１側からの連動停止中であることを表示する。（Ｓ７０９のＹ、Ｓ７２７）
一方、第１副親機１２がＳＷ２１の操作により自己連動停止状態にあり、これを主親機１１側から解除して連動状態に戻したい場合には、制御装置３１の個別連動停止スイッチＳＷ３４１を押す。このとき、ＳＷ３４１に対応する連動停止中灯Ｌ３５１が点灯しているので、制御装置３１は、ＳＷ３４１の操作を第１副親機１２に対する個別停止解除操作と判別し、ＴＲＸ３１を通じ第１副親機１２を指定して個別停止解除命令を出力する。この個別停止解除命令の送出によりＬ３５１は消灯する。（Ｓ９１２のＹ、Ｓ９２９）
第１副親機１２の移報回路２２は、制御装置３１から個別停止解除命令を受信すると、個別停止用リレーＲ２の動作を停止させ、そのブレーク接点ｒ２をメイクさせ、連動可能状態にセットする。また、個別停止解除中であることをＲＡＭ２１に記憶すると共に、親機回路２１に個別停止解除中であることを出力し、連動停止灯Ｌ１１を消灯させる。（Ｓ７１２のＹ、Ｓ７３０）
次ぎに、主親機１１から全副親機１２〜１４を一斉に連動状態、連動停止状態にする場合について説明する。
【００５１】
主親機１１から第１〜第３の副親機１２〜１４を強制的に連動状態にする場合には、制御装置３１の全連動スイッチＳＷ３２１を押す。このＳＷ３２１の操作と全解除中灯Ｌ３３３の点灯あるいはＲＡＭ３１に全連動中の記憶がないことによりＭＰＵ３は全連動操作と判別し、ＴＲＸ３１を通じて第１〜第３の全副親機１２〜１４に対して全連動命令を送出する。この際、制御装置３１では、全連動灯Ｌ３３１が点灯され、全解除中灯Ｌ３３３が消灯されると共にＲＡＭ３１に全連動中が記憶され、個別連動停止スイッチＳＷ３４１〜３４３による個別連動停止及びその停止解除の入力が無効化され、個別連動停止中灯Ｌ３５１〜Ｌ３５２が消灯される。（Ｓ９０６のＹ、Ｓ９２５）
制御装置３１から全連動命令を受信した副親機１２〜１４の各移報回路２１は、全停止用リレーＲ１と個別停止用リレーＲ２の動作を停止させ（Ｒ１またはＲ２が動作している場合）るとともに、自己連動停止命令および個別停止命令の記憶がクリアされリレーＲ２の動作を禁止する。また、各親機回路２１の連動停止灯Ｌ１１が消灯され、優先灯Ｌ１２が点灯する。これにより、全副親機１２〜１４は強制的に連動停止が解除され全連動状態にセットされる。（Ｓ７０５のＹ、Ｓ７２４）
一方、主親機１１から第１〜第３の副親機１２〜１４を一斉に強制的に連動停止状態にする場合には、制御装置３１の全連動停止スイッチＳＷ３２２を押す。このＳＷ３２２の操作と、全解除中灯Ｌ３３３または全連動灯Ｌ３３１の点灯、もしくはＲＡＭ３１に全連動停止中が記憶されていないことによりＭＰＵ３は全連動停止操作と判別し、ＴＲＸ３１を通じて第１〜第３の全副親機１２〜１４に対して全連動停止命令を送出する。この際、制御装置３１では、全連動停止灯Ｌ３３２が点灯し全連動灯Ｌ３３１と全解除中灯Ｌ３３３が消灯すると共にＲＡＭ３１に全連動停止中が記憶され、個別連動停止スイッチＳＷ３４１〜３４３による個別連動停止及びその停止解除の入力が無効化され、個別連動停止中灯Ｌ３５１〜３５３が消灯される。（Ｓ９０７のＹ、Ｓ９２６）
制御装置３１から全連動停止命令を受信した副親機１２〜１４の各移報回路２１は、全停止用リレーＲ１を動作させ、そのブレーク接点ｒ１をブレークさせるとともに、各親機回路２１の連動停止灯Ｌ１１と優先灯Ｌ１２を点灯させる。同時にすでに個別停止命令を受信していた副親機では個別停止命令が解除され、個別停止用リレーＲ２は動作を停止し、ブレーク接点ｒ２をメークさせる。これにより、全副親機１２〜１４では、強制的に全連動停止状態にセットされる。（Ｓ７０６のＹ、Ｓ７２５）
そして、この全連動状態あるいは全連動停止状態を解除する場合には、制御装置３１の全解除スイッチＳＷ３２３を押す。このＳＷ３２３の操作と、Ｌ３３１またはＬ３３２の点灯、もしくはＲＡＭ３１に全連動中または全連動停止中が記憶されていることによりＭＰＵ３は全解除操作と判別し、全副親機１２〜１３にＴＲＸ３を通じて全解除命令を送出する。また、点灯していたＬ３３１またはＬ３３２を消灯させ、Ｌ３３３を点灯させると共に、ＲＡＭ３１の全連動中または全連動停止中の記憶をクリアさせる。（Ｓ９０８のＹ、Ｓ９２７）
副親機１２〜１４の各移報回路２２は、全解除命令の受信により、リレーＲ１の動作が停止され、ブレーク接点ｒ１がメークされるとともに、各副親機１２〜１４の親機回路２１の優先灯Ｌ１２が消灯される。これにより、各副親機１２〜１４では、主親機１１側による強制連動または強制連動停止が終了したことが報知される。（Ｓ７０７のＹ、Ｓ７２６）
なお、全連動状態または全連動停止状態になると、制御装置３１の個別停止スイッチＳＷ３４１〜３４３の入力ならびに各副親機１２〜１４の連動停止スイッチＳＷ１１の入力は、全解除命令を受けるまですべてキャンセルされる（Ｓ７０８、Ｓ９０９）。
【００５２】
次ぎに、不在モードについて、第１副親機１２を不在モードにする例により説明する。
【００５３】
第１副親機１２の係員が所用で席を外す場合、その係員は副親機１２の親機回路２１の操作部ＯＰに設けられたテンキーを操作して主親機１１の係員を呼び出し、席を外して不在になるので主親機側で親機を代行してもらいたい旨、連絡する。（Ｓ５０５のＹ）
連絡を受けた主親機１１側の係員は親機回路２１の操作部ＯＰのテンキーを操作して第１副親機１２が不在となる旨のコードを入力する。これにより、ＭＰＵ１はＴＲＸ１１を通じて第１副親機１２を呼び出すと共に、不在切換命令を送信する。（Ｓ５１１）
第１副親機１２のＭＰＵ２は、主親機１１から呼び出され不在切換命令を受信したことを判別すると、ＲＡＭ２１に不在モードを記憶すると共に、表示部ＤＰに不在モード中であることを表示する。また、移報回路２１に不在モード信号を出力し、移報回路２１から主親機１１の制御装置３１に不在モード信号を送信させる。これにより、副親機１２は不在モードに移行する。（Ｓ５０２のＹ、Ｓ６０４のＹ、Ｓ６０８、Ｓ７０３のＹ、Ｓ７２２）
制御装置３１は、第１副親機１２の移報回路２１から不在モード信号を受信したことを判別すると、不在中灯Ｌ３７１を点灯させる。これにより、第１副親機１２が不在モードに移行したことが識別される（Ｓ９０３のＹ、Ｓ９２２）。
【００５４】
そして、不在モードに移行した第１副親機１２は、非常電話機Ｔ２１〜Ｔ２ｎのいずれかから火災着信あるいは業務着信を検出すると、直ちに着信した回線を主親機１１に転送する（Ｓ６０１のＹ、Ｓ６０６、Ｓ６０２のＹ、Ｓ６０７）。転送された主親機１１側では、親機回路２１が転送された回線の着信処理を行う（Ｓ６０６、Ｓ６０７）。そして、火災着信の場合には、制御装置３１を通じて第１副親機１２の移報回路２２に火災着信のあった回線番号を送信し、その回線番号に対応した放送回路に制御信号を出力させ、非常放送を自動的に放送させる（Ｓ６０６、Ｓ９０２のＹ、Ｓ９２１、Ｓ７０２のＹ、Ｓ７２１）。
【００５５】
また、第１副親機１２の係員から不在モードを解除したい旨の連絡が業務着信により連絡があった場合には、主親機１１の係員は操作部ＯＰのテンキーから不在解除のコードを入力し、第１副親機１２に不在解除命令を送出する（Ｓ５０６のＹ、Ｓ５１２）。第１副親機１２は、不在解除命令を受信すると、不在モードをクリアすると共に、移報回路２２を通じて制御装置３１に不在終了信号を送信する（Ｓ６０５のＹ、Ｓ６０９、Ｓ７０４のＹ、Ｓ７２３）。これにより、制御装置３１の不在中灯Ｌ３７１が消灯され、第１副親機１２の不在状態が終了したことが識別される（Ｓ９０５のＹ、Ｓ９２３）。
【００５６】
なお、副親機側が不在の際に、副親機が着信した電話を主親機に転送するようにしたが、主親機への転送処理を副親機でなくＰＢＸで行うようにしても良い。この場合には、例えば上記実施例において、Ｓ５１１およびＳ５１２の処理で不在切換命令あるいは不在解除命令をＰＢＸにも送信し、これによりＰＢＸは不在モードに設定された副親機に対する着信信号を自動的に主親機に接続するようにすればよい。
【００５７】
ところで、上記実施例では、副親機１２〜１４の各移報回路２２と制御装置３１との間の、全連動、全連動停止、全解除、個別連動停止、個別停止解除などの命令やその他の信号の伝送を専用線によって行うようにしたが、非常電話線とＰＢＸを介してシリアル伝送するようにしても良い。
【００５８】
更に、非常放送設備と連動する被制御機器は、上記実施例の非常放送設備に限定されず、他の機器、例えば避難誘導灯、防排煙機器等であっても良い。
【００５９】
また、親機回路、移報回路、制御装置の回路構成は上記実施例に限定されず、例えば移報回路において全停止用リレーＲ１と個別停止用リレーＲ２を１つのリレーに統合しても、あるいは、個別停止用リレーＲ２を更に個別命令用のリレーと自己命令用のリレーに分けても良く、移報回路と警報装置をリレーなどで構成するようにしても良い。更に、親機回路と移報回路とを一体に構成しても、あるいは警報装置の回路をも一体に構成しても良く、また親機回路と移報回路をそれぞれ別のケースに入れケーブルで接続するようにしても良い。
【００６０】
【発明の効果】
この発明の非常電話設備は、複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記親機の各々にはそれぞれに接続される被制御機器を連動動作させる連動動作手段が設けられ；前記複数の親機は１台の主親機と他の副親機とに分けられ；前記主親機と副親機には、それぞれ接続された被制御機器の連動動作を停止させる自己停止手段が設けられ；前記主親機には、前記副親機に対して被制御機器の連動あるいは連動停止を命令する連動制御手段が設けられ；前記副親機には前記連動制御手段からの命令によって自己に接続された被制御機器を連動または連動停止させる移報手段が設けられ；たことを特徴としている。
【００６１】
また、複数の非常電話機が接続される非常電話用電話交換機と；前記非常電話用電話交換機に接続されるとともに、前記複数の非常電話機が複数のグループに分けられ、それぞれ異なる特定のグループの複数の非常電話機から着信する複数の親機と；からなり、前記複数の親機は、１台の主親機と他の副親機とに分けられ；前記主親機には、前記副親機を指定して不在モード設定及び不在モード解除の命令を送出する不在モード制御手段が設けられ；前記副親機または前記非常電話用交換機には、自己または副親機を指定して前記主親機から不在モード設定命令を受信したときには、前記非常電話機からの着信を前記主親機に転送させ、不在モード解除命令を受信したときには、前記主親機への転送を解除する不在転送手段が設けられ；たことを特徴としている。
【００６２】
これにより、主親機側から副親機の被制御機器に対する連動／連動停止の操作が可能となる。また、副親機側の係員が不在となるときに主親機側から副親機の不在モードを設定及び解除するので、副親機側からの一方的な不在転送を防止できる。
【００６３】
また、前記各親機は、前記非常電話機からの着信を処理する着信処理機能を有する親機回路部と、前記被制御機器を連動制御するとともに前記移報手段を有する移報回路部と、更に、前記不在モード制御手段とを備えた親機本体部からなり、前記主親機は前記親機に前記連動制御手段を備えた制御装置を接続することにより構成されることを特徴としている。
【００６４】
これにより、主親機と副親機とに同一構成の親機を使用することができるとともに、制御装置を親機に付加するだけで主親機とすることができ、任意の親機を主親機にすることもできる。
【００６５】
また、前記連動制御手段は、全部の副親機に対して連動あるいは連動停止の命令を送出する第１の手段と、特定の副親機を指定してに対して連動あるいは連動停止の命令を送出する第２の手段とからなることを特徴としている。
【００６６】
したがって、主親機から副親機に対する連動あるいは連動停止の命令送出が容易となる。
【図面の簡単な説明】
【図１】図１は、本発明による非常電話設備の１実施例の系統図である。
【図２】図２は、本発明による非常電話設備の主親機と副親機に使用される親機回路の１実施例のブロック図である。
【図３】図３は、本発明による非常電話設備の主親機と副親機に使用される移報回路の１実施例のブロック図である。
【図４】図４は、本発明による非常電話設備の主親機に使用される制御装置の１実施例のブロック図である。
【図５】図５は、図２の親機回路の動作を説明するフローチャートである。
【図６】図６は、図５のフローチャートの続きである。
【図７】図７は、図３の移報回路の動作を説明するフローチャートである。
【図８】図８は、図７のフローチャートの続きである。
【図９】図９は、図４の制御回路の動作を説明するフローチャートである。
【図１０】図１０は、図９のフローチャートの続きである。
【符号の説明】
Ｔ１１〜Ｔ４ｎ    非常電話機
ＰＢＸ            非常電話用交換機
１１              主親機
１２〜１４        副親機
２１              親機回路
ＳＷ１１          連動停止スイッチ
Ｌ１１            連動停止灯
Ｌ１２            優先灯
ＯＰ              操作部
ＤＰ              表示部
ＴＥ              送受話器
２２              移報回路
Ｒ１              全停止用リレー
Ｒ２              個別停止用リレー
Ｒ３１〜Ｒ３ｎ    制御用リレー
３１              制御装置
ＳＷ３２１        全連動スイッチ
ＳＷ３２２        全連動停止スイッチ
ＳＷ３２３        全解除スイッチ
ＳＷ３４１〜ＳＷ３４３  個別連動停止スイッチ
Ｌ３３１          全連動灯
Ｌ３３２          全連動停止灯
Ｌ３３３          全解除中灯
Ｌ３５１〜Ｌ３５３  個別の連動停止中灯
Ｌ３６１〜Ｌ３６３  個別の火災着信灯
Ｌ３７１〜Ｌ３７３  個別の不在中灯
５１〜５ｎ        被制御機器の一例としての放送回路
【図１】
0003721227.tif 000002
【図２】
0003721227.tif 000003
【図３】
0003721227.tif 000004
【図４】
0003721227.tif 000005
【図５】
0003721227.tif 000006
【図６】
0003721227.tif 000007
【図７】
0003721227.tif 000008
【図８】
0003721227.tif 000009
【図９】
0003721227.tif 000010
【図１０】
0003721227.tif 000011